(57)【特許請求の範囲】
【請求項１】
位置基盤サービスサーバ、地理情報システムサーバ及び人工衛星を含む位置情報システムにおいて、被保護者端末機の位置情報を保護者端末機に提供する位置情報提供方法であって、
前記被保護者端末機が前記保護者端末機と映像通話の連結を遂行するステップ、
前記被保護者端末機が前記保護者端末機から位置情報サービスの要請を受信するステップ、
前記被保護者端末機が前記位置情報サービス要請に応答して、前記被保護者端末機が位置する場所の地図イメージを取得するステップ、
前記被保護者端末機が前記地図イメージを前記保護者端末機に送信するステップ、及び
前記被保護者端末機が前記位置情報サービス要請により、前記被保護者端末機が位置する周辺を撮影した周辺イメージを生成するステップを含み、
前記送信するステップは、
前記被保護者端末機が、前記地図イメージの蓄積を変更するステップ、
前記被保護者端末機が、被保護者の顔イメージを生成するステップ、及び
前記被保護者端末機が、前記地図イメージの蓄積を変更したイメージ、前記顔イメージ及び周辺イメージのうち少なくとも一つを前記保護者端末機に送信するステップを含むことを特徴とする位置情報提供方法。
【請求項２】
前記地図イメージを取得するステップは、
前記被保護者端末機が前記人工衛星から受信した信号に基づいて位置座標を取得して、前記位置基盤サービスサーバに前記位置座標を送信するステップ、及び
前記被保護者端末機が、前記位置基盤サービスサーバから前記位置座標に対応する場所の地図イメージを受信するステップ、を含むことを特徴とする請求項１に記載の位置情報提供方法。
【請求項３】
前記地図イメージを取得するステップは、
前記位置基盤サービスサーバが前記地理情報システムサーバに前記位置座標に対する地図イメージを要求し、前記地理情報システムサーバから地図イメージを受信して、これを前記被保護者端末機に伝送するステップをさらに含むことを特徴とする請求項１または２に記載の位置情報提供方法。
【請求項４】
前記保護者端末機は、
前記地図イメージの蓄積を変更したイメージ、前記顔イメージ及び前記周辺イメージのうち複数のイメージをディスプレイする場合、一つの画面に重複してディスプレイするか、または画面を分割してディスプレイすることを特徴とする請求項１に記載の位置情報提供方法。
【請求項５】
少なくとも２台の無線端末機の間で位置情報を送受信する位置情報提供システムであって、
位置座標に対応する地図イメージを生成する位置基盤サービスサーバ、
第２無線端末機と映像通話が連結される場合、前記第２無線端末機の位置する場所に対する情報を要求する位置情報サービス要請を前記第２無線端末機に送信し、地図イメージを再生する第１無線端末機、及び
前記位置情報サービス要請に応答して人工衛星から前記位置座標を受信し、前記位置座標を前記位置基盤サービスサーバに伝達し、前記位置基盤サービスサーバから前記地図イメージを受信して、前記地図イメージの蓄積を変更し、前記位置情報サービス要請により前記第２無線端末機が位置した周辺を撮影した周辺イメージを生成し、前記第２無線端末機の所有者の顔を撮影して顔イメージを生成して、前記地図イメージの蓄積を変更したイメージ、前記顔イメージ及び前記周辺イメージのうち少なくとも一つを前記第１無線端末機に送信する第２無線端末機、を含むことを特徴とする位置情報提供システム。
【請求項６】
前記位置座標に対応する前記地図イメージを生成する地理情報システムサーバをさらに含み、
前記位置基盤サービスサーバは、前記位置座標を前記地理情報システムサーバに伝達し、前記地理情報システムサーバから前記地図イメージを受信することを特徴とする請求項５に記載の位置情報提供システム。
【請求項７】
前記第１無線端末機は、
前記地図イメージの蓄積を変更したイメージ、前記顔イメージ及び前記周辺イメージのうち複数のイメージをディスプレイする場合、一つの画面に重複してディスプレイするか、または画面を分割してディスプレイすることを特徴とする請求項５に記載の位置情報提供システム。
【発明の詳細な説明】
【技術分野】
【０００１】
本発明は、位置情報提供方法に関するものであって、特に、無線端末機で用いる位置情報提供方法に関するものである。
【背景技術】
【０００２】
位置基盤サービス（ｌｏｃａｔｉｏｎ  ｂａｓｅｄ  ｓｅｒｖｉｃｅ、ＬＢＳ）は、携帯電話の中に基地局や衛星航法装置（ＧＰＳ）と連結されるチップを付着して、位置追跡サービス、公共安全サービス、位置基盤情報サービスなどの、位置に関連する各種情報を提供するサービスを称する。すなわち、位置基盤サービスは、有線・無線通信網を通じて得られた位置情報に基づいて様々なサービスを提供するものである。
【０００３】
従来のシステムにおいて保護者端末機は、被保護者端末機に位置情報要請をするのではなく、ウィーピアプリケーションを用いて位置情報提供ゲートウェイサーバに被保護者端末機の位置情報を要請する。
【０００４】
位置情報提供サーバは該当要請に応答して被保護者端末機の位置情報をデータパケットで保護者端末機に回送する。
【０００５】
ウィーピ（Ｗｉｒｅｌｅｓｓ  Ｉｎｔｅｒｎｅｔ  Ｐｌａｔｆｏｒｍ  ｆｏｒ  Ｉｎｔｅｒｏｐｅｒａｂｉｌｉｔｙ、ＷＩＰＩ）は、韓国の標準モバイルプラットフォームの名称である。これは、通信社の間のモバイルプラットフォームを標準化することで、一つのコンテンツを多くの通信社でサービスすることができるようにするために設けられた。
ウィーピが導入される前には、韓国の移動通信市場では移動通信社別にそれぞれ異なるプラットフォームを用いていた。移動通信社別にそれぞれ異なるプラットフォームを導入して用いることにより、互いにプラットフォームが互換されない結果をもたらした。Ａ通信社のプラットフォームに合わせて開発されたゲームなどのプログラムをＢ通信社でも提供するためには開発人員の追加投入など、かなり多くの費用が必要となった。
【０００６】
ここに単一プラットフォームを導入することになれば、一度開発されたプログラムはすべての移動通信社を通じて提供することができるようになるため、開発費用を節約することができる。
【０００７】
一方、ゲートウェイは一つのネットワークから他のネットワークに入る入口のような役割をする装置であって、近距離通信網（ＬＡＮ）のような一つのネットワークを他のネットワークと連結する際に用いられる。
【０００８】
ゲートウェイは、ネットワークごとにデータを転送する方式が異なることから求められる。すなわち、それぞれのネットワークは他のネットワークと区別されるプロトコル（データを処理する方式であって、あらかじめ決められている約束）でデータを転送する。他のプロトコルを用いるネットワークと直接連結すると、データを共有することができない。
【０００９】
インターネットを通じて送くられた電子メールをＰＣ通信サービスを通じても受けることができるが、これは、インターネットとＰＣ通信サービス会社の通信網とを仲介するゲートウェイがあるからである。
【００１０】
現在、位置情報提供システムにおいて、位置情報提供ゲートウェイサーバはすべてのユーザに開放されているものではなく、加入者に限ってサービスが提供されているため、加入者でないユーザでも任意の端末機の所有者の位置を把握したい時に位置情報を提供できるサービスが求められる。
【発明の概要】
【発明が解決しようとする課題】
【００１１】
本発明が解決しようとする技術的課題は、保護者端末機から被保護者端末機に被保護者端末機の現在位置に対する情報を要求したとき、被保護者端末機の現在位置に対する地図イメージを被保護者端末機で生成し、被保護者端末機が被保護者端末機ユーザの映像イメージ以外に地図イメージを保護者端末機に直接伝達する位置情報提供方法を提供することにある。
【００１２】
本発明が解決しようとする他の技術的課題は、保護者端末機から被保護者端末機に被保護者端末機の現在位置に対する情報を要求したとき、被保護者端末機の現在位置に対する地図イメージを被保護者端末機で生成し、被保護者端末機が被保護者端末機ユーザの映像イメージ以外に前記地図イメージを保護者端末機に直接伝達する位置情報提供システムを提供することにある。
【課題を解決するための手段】
【００１３】
上記技術的課題を解決するための、保護者端末機及び被保護者端末機の間における本発明の位置情報提供方法は、前記保護者端末機から前記被保護者端末機に位置情報サービスを要請するステップ、前記位置情報サービス要請に応答して、自分の位置する場所の地図イメージを生成するステップ、及び前記地図イメージを前記保護者端末機でディスプレイするのに適合する形態に加工して、前記保護者端末機に送信するステップを含む。
【００１４】
上記他の技術的課題を解決するための、少なくとも２台の無線端末機の間で位置情報を送受信する、本発明の位置情報提供システムは、位置座標に対応する地図イメージを生成する位置基盤サービスサーバ、第２無線端末機の位置する場所に対する情報を要求する位置情報サービス要請を前記第２無線端末機に送信し、地図イメージを再生する第１無線端末機、及び前記位置情報サービス要請に応答して人工衛星から前記位置座標を受信し、前記位置座標を前記位置基盤サービスサーバに伝達し、前記位置基盤サービスサーバから前記地図イメージを受信して前記第１無線端末機に転送する第２無線端末機を含む。
【発明の効果】
【００１５】
本発明は、保護者端末機が位置情報提供ゲートウェイサーバを介さず、被保護者端末機から被保護者端末機の位置する所の地図イメージを直接受信してディスプレイできる長所がある。
【図面の簡単な説明】
【００１６】
【図１】本発明による位置情報提供システムを示す。
【図２】本発明による位置情報提供システムを構成する保護者端末機のディスプレイパネルの例である。
【図３】本発明による位置情報提供方法に対する信号の流れ図を示す。
【発明を実施するための形態】
【００１７】
本発明と、本発明の動作上の利点及び本発明の実施によって達成される目的を十分理解するためには、本発明の例示的な実施例を説明する添付図面及び添付図面に記載した内容を参照しなければならない。
【００１８】
以下、添付した図面を参照して本発明の好ましい実施例を説明することで、本発明を詳しく説明する。各図面に示された同一の参照符号は同一の部材を示す。
【００１９】
本発明の一実施例は、保護者端末機から被保護者端末機に被保護者端末機の現在位置に対する情報を要求したとき、被保護者端末機の現在位置に対する地図イメージを被保護者端末機が受信し、被保護者端末機が被保護者端末機ユーザの映像イメージ以外に前記地図イメージを保護者端末機に直接伝達するものである。
【００２０】
図１は、本発明による位置情報提供システムを示す。
【００２１】
図１を参照すると、位置情報提供システム１００は、保護者端末機１１０、被保護者端末機１２０、人工衛星１３０、位置基盤サービスサーバ１４０、及び地理情報システムサーバ１５０を備える。
【００２２】
保護者端末機１１０は、被保護者端末機１２０の位置する場所に対する情報を要求する位置情報サービス要請を被保護者端末機１２０に転送し、被保護者端末機１２０から転送されてきた地図イメージ及び映像イメージをディスプレイパネルに再生する。
【００２３】
被保護者端末機１２０は、保護者端末機１１０から転送された位置情報サービス要請に応答して、人工衛星１３０から位置座標を決めるための信号を受信し、受信した信号を解析することで位置座標を決定し、決定された位置座標を位置基盤サービスサーバ１４０に伝達し、位置基盤サービスサーバ１４０から受信した地図イメージを保護者端末機１１０に伝達する。なお、人工衛星を利用した位置座標の取得は例えばＧＰＳのように公知である。
【００２４】
位置基盤サービスサーバ１４０は、被保護者端末機１２０から受信した位置座標を地理情報システムサーバ１５０に伝達し、地理情報システムサーバ１５０から地図イメージを受信して被保護者端末機１２０に伝達する。
【００２５】
地理情報システムサーバ１５０は、位置基盤サービスサーバ１４０から受信した位置座標に対応する地域及び一定の範囲の周辺イメージを含む地図イメージを生成して位置基盤サービスサーバ１４０に伝達する。
【００２６】
ここで、地理情報システム（ｇｅｏｇｒａｐｈｉｃ  ｉｎｆｏｒｍａｔｉｏｎ  ｓｙｓｔｅｍ、ＧＩＳ）は、地理空間データを分析・加工して交通・通信などのような地形関連分野に活用することのできるシステムを意味する。過去、印刷物の形態で用いていた地図及び地理情報をコンピュータを用いて作成・管理し、ここから得られた地理情報に基づいてデータを収集・分析・加工して地形に関連するすべての分野に適用するために設計された総合情報システムをいう。
【００２７】
図２は、本発明による位置情報提供システムを構成する保護者端末機のディスプレイパネルの例である。
【００２８】
図２を参照すると、保護者端末機２００のディスプレイパネル２１０は、大きく２つの領域に区分することができる。
【００２９】
映像イメージ表示領域２２０は映像通話する当事者の顔の映像イメージを表示し、地図イメージ表示領域２３０は地図イメージを表示する。映像イメージ表示領域２２０は、２つのサブ領域Ａ、Ｂにさらに区分し、２つのサブ領域Ａ、Ｂには対話者２人の顔がそれぞれ表示される。
【００３０】
地図イメージ表示領域２３０は被保護者端末機の位置する場所に対する地図イメージが表示される。
【００３１】
地図イメージのサイズ（すなわち、地図イメージの蓄積）は保護者端末機のディスプレイパネルのサイズに応じて、または基地局の状況に応じて調節することができる。地図イメージのサイズの調節は、地理情報システムサーバ１５０、位置基盤サービスサーバ１４０、被保護者端末機１２０、及び保護者端末機１１０のいずれか一つにおいてなされる。
【００３２】
図２には映像イメージ及び地図イメージがディスプレイパネルの２つの領域に区分して表示されているが、これらが重複するように表示することもできる。この場合、一つのイメージが主要イメージとなり、他のイメージは付加イメージとなることが好ましい。
【００３３】
また、映像イメージには、対話者の顔イメージだけでなく、対話者の位置する場所の周辺イメージが含まれてもよい。この場合、対話者は映像通話直前または映像通話を行いながら周辺を自動または受動で撮影して周辺イメージを保存しておかなければならない。
【００３４】
図３は、本発明による位置情報提供方法に対する信号の流れ図を示す。
【００３５】
図３に示された本発明による位置情報提供方法３００によれば、保護者端末機１１０と被保護者端末機１２０との間の一般的な通信は、一方の映像通話試みに対して相手が映像通話連結を受諾することで行われる。
【００３６】
位置情報サービスに対する信号の流れは次のように行われる。
【００３７】
保護者端末機１１０が被保護者端末機１２０に位置情報サービスを要請する（１）。
被保護者端末機１２０は位置情報サービス要請に応答して人工衛星１３０から位置座標を受信する（２，３）。
【００３８】
被保護者端末機１２０は人工衛星１３０から受信した位置座標を位置基盤サービスサーバ１４０に伝達し、地図情報を要求する（４）。
【００３９】
位置基盤サービスサーバ１４０は被保護者端末機１２０から受信した位置座標を地理情報システムサーバ１５０に伝達し、地図情報を要請する（５）。
【００４０】
地理情報システムサーバ１５０は位置基盤サービスサーバ１４０から受信した位置座標と保存されている地図データベースとを用いて位置座標地点及び該当地点の周辺地点を含む地図イメージを生成して、位置基盤サービスサーバ１４０に伝達する（６）。
【００４１】
位置基盤サービスサーバ１４０は地理情報システムサーバ１５０から受信した地図イメージを被保護者端末機１２０に伝達する（７）。
【００４２】
被保護者端末機１２０は自分の周辺イメージ及び自分の顔を撮影する（８，９）。
【００４３】
被保護者端末機１２０は保護者端末機１１０と映像通話を行いながら、地図イメージ、周辺イメージ及び顔イメージのうち少なくとも一つを保護者端末機１１０に伝達する（１０）。
【００４４】
本発明によれば、保護者端末機１１０から被保護者端末機１２０に被保護者端末機１２０の現在位置に対する情報を要求したとき、被保護者端末機１２０の現在位置に対する地図イメージを被保護者端末機１２０が生成し、被保護者端末機１２０が被保護者端末機１２０のユーザの映像イメージ以外に前記地図イメージを保護者端末機１１０に直接伝達する。
【００４５】
これによって、位置情報提供ゲートウェイサーバを介さず、被保護者端末機１２０から被保護者端末機１２０の位置する所の地図イメージを保護者端末機１１０が直接受信して、ディスプレイすることができる。
【００４６】
以上では、本発明に関する技術思想を添付図面とともに述べたが、これは本発明の好ましい実施例を例示的に説明したものであり、本発明を限定するものではない。また、本発明の属する技術分野における通常の知識を有する者であれば、誰でも本発明の技術的思想の範囲を脱しない範囲内で多様な変形及び模倣が可能なことは明白な事実である。
【符号の説明】
【００４７】
１００      位置情報提供システム
１１０      保護者端末機
１２０      被保護者端末機
１３０      人工衛星
１４０      位置基盤サービスサーバ
１５０      地理情報システムサーバ
【図１】
0005577318.tif 000002
【図２】
0005577318.tif 000003
【図３】
0005577318.tif 000004